【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
スリットが形成された複数の格子と、
複数の前記格子を透過するように放射線を照射する放射線源と、
モアレ画像を撮影する放射線検出器と、
前記格子を保持するホルダーと、
を備え、
前記ホルダーは、カーブが付けられた受け面を有する受け部と、カーブが付けられた押さえ面を有する押さえ部とを有し、
前記格子は、前記ホルダーの前記受け部の受け面と前記押さえ部の押さえ面との間で挟持されることにより、前記放射線源の一点を中心とする円弧状に湾曲されており、
前記格子の一方側の面と前記押さえ部の押さえ面との間、または、前記格子の前記一方側の面とは反対側の面と前記受け部の受け面との間に、弾性部材が配置されており、
前記ホルダーの前記受け部および前記押さえ部と前記弾性部材には、前記格子に照射される放射線を遮らないようにするための開口部がそれぞれ設けられていることを特徴とするＸ線タルボ撮影装置。
【請求項２】
前記ホルダーの受け部の受け面と押さえ部の押さえ面とは、前記放射線源の一点を中心とする円弧状に湾曲されていることを特徴とする請求項１に記載のＸ線タルボ撮影装置。
【請求項３】
前記ホルダーの受け部の受け面または押さえ部の押さえ面の少なくとも一方が前記放射線源の一点を中心とする円弧状に湾曲されており、
前記格子は、前記弾性部材により、前記円弧状に湾曲されている前記受け面または前記押さえ面に全面的に押し付けられていることを特徴とする請求項１に記載のＸ線タルボ撮影装置。
【請求項４】
前記弾性部材は、その端部が、前記格子と当接している前記ホルダーの前記受け部の前記受け面の端部または前記ホルダーの前記押さえ部の前記押さえ面の端部の外側にははみ出さないように構成されていることを特徴とする請求項１から請求項３のいずれか一項に記載のＸ線タルボ撮影装置。
【請求項５】
前記格子および前記弾性部材を挟持した状態の前記ホルダーの前記受け部と前記押さえ部が、その周縁部を全周にわたってネジで締結されていることを特徴とする請求項１から請求項４のいずれか一項に記載のＸ線タルボ撮影装置。
【請求項６】
前記格子と当接する前記ホルダーの前記受け部の前記受け面または前記押さえ部の前記押さえ面が、滑り易くするために表面加工されていることを特徴とする請求項１から請求項５のいずれか一項に記載のＸ線タルボ撮影装置。
【請求項７】
前記格子の熱膨張係数に対する前記ホルダーの前記受け部および前記押さえ部の熱膨張係数の差の絶対値が４×１０−６以下であることを特徴とする請求項１から請求項６のいずれか一項に記載のＸ線タルボ撮影装置。
【請求項８】
前記弾性部材は、硬度がデュロメータ硬さでＡ１５以下であることを特徴とする請求項１から請求項７のいずれか一項に記載のＸ線タルボ撮影装置。
【請求項９】
前記弾性部材は、前記ホルダーの前記受け部または前記押さえ部に当接する面に凹部または穴が形成されていることを特徴とする請求項１から請求項８のいずれか一項に記載のＸ線タルボ撮影装置。
【請求項１０】
前記ホルダーの前記受け部は、前記押さえ部の熱膨張係数より大きい熱膨張係数を有する材料で形成されていることを特徴とする請求項１から請求項９のいずれか一項に記載のＸ線タルボ撮影装置。
【請求項１１】
スリットが形成された複数の格子を保持する格子保持具であって、
カーブが付けられた受け面を有する受け部と、カーブが付けられた押さえ面を有する押さえ部とを有し、前記格子を前記受け部の受け面と前記押さえ部の押さえ面との間で挟持することにより円弧状に湾曲させ、
前記格子の一方側の面と前記押さえ部の押さえ面との間、または、前記格子の前記一方側の面とは反対側の面と前記受け部の受け面との間に、弾性部材が配置されており、
前記受け部および前記押さえ部と前記弾性部材には、開口部がそれぞれ設けられていることを特徴とする格子保持具。
【請求項１２】
前記格子は前記放射線源の一点を中心とする円弧状に湾曲するように構成されており、
前記開口部は前記格子に照射される放射線を遮らないようにするためのものであることを特徴とする請求項１１に記載の格子保持具。
【手続補正２】
【補正対象書類名】明細書
【補正対象項目名】発明の名称
【補正方法】変更
【補正の内容】
【発明の名称】Ｘ線タルボ撮影装置及び格子保持具
【手続補正３】
【補正対象書類名】明細書
【補正対象項目名】０００１
【補正方法】変更
【補正の内容】
【０００１】
本発明は、タルボ干渉計やタルボ・ロー干渉計を用いたＸ線タルボ撮影装置及びこの装置に用いられる格子保持具に関する。
【手続補正４】
【補正対象書類名】明細書
【補正対象項目名】００１２
【補正方法】変更
【補正の内容】
【００１２】
本発明は、上記の点を鑑みてなされたものであり、第１格子や第２格子等の複数の格子に損傷が生じることがなく、かつ、複数の格子を的確に湾曲させてケラレが生じることなく放射線を的確に透過させることが可能なＸ線タルボ撮影装置及び格子保持具を提供することを目的とする。
【手続補正５】
【補正対象書類名】明細書
【補正対象項目名】００１３
【補正方法】変更
【補正の内容】
【００１３】
前記の問題を解決するために、本発明のタルボ撮影装置は、
スリットが形成された複数の格子と、
複数の前記格子を透過するように放射線を照射する放射線源と、
モアレ画像を撮影する放射線検出器と、
前記格子を保持するホルダーと、
を備え、
前記ホルダーは、カーブが付けられた受け面を有する受け部と、カーブが付けられた押さえ面を有する押さえ部とを有し、
前記格子は、前記ホルダーの前記受け部の受け面と前記押さえ部の押さえ面との間で挟持されることにより、前記放射線源の一点を中心とする円弧状に湾曲されており、
前記格子の一方側の面と前記押さえ部の押さえ面との間、または、前記格子の前記一方側の面とは反対側の面と前記受け部の受け面との間に、弾性部材が配置されており、
前記ホルダーの前記受け部および前記押さえ部と前記弾性部材には、前記格子に照射される放射線を遮らないようにするための開口部がそれぞれ設けられていることを特徴とする。
また、前記の問題を解決するために、本発明は、
スリットが形成された複数の格子を保持する格子保持具であって、
カーブが付けられた受け面を有する受け部と、カーブが付けられた押さえ面を有する押さえ部とを有し、前記格子を前記受け部の受け面と前記押さえ部の押さえ面との間で挟持することにより円弧状に湾曲させ、
前記格子の一方側の面と前記押さえ部の押さえ面との間、または、前記格子の前記一方側の面とは反対側の面と前記受け部の受け面との間に、弾性部材が配置されており、
前記受け部および前記押さえ部と前記弾性部材には、開口部がそれぞれ設けられていることを特徴とする。
【手続補正６】
【補正対象書類名】明細書
【補正対象項目名】００１４
【補正方法】変更
【補正の内容】
【００１４】
本発明のような方式のタルボ撮影装置や格子保持具によれば、第１格子や第２格子等の複数の格子に損傷が生じることがなく、しかも、複数の格子を的確に湾曲させてケラレが生じることなく放射線を的確に透過させることが可能となる。そのため、Ｘ線タルボ撮影装置でモアレ画像を的確に撮影することが可能となり、的確に撮影されたモアレ画像を再構成して微分位相画像等を的確に生成することが可能となる。